(57)【要約】      （修正有）【課題】バッグの外から充電状態が完全か否かを確認することができるようにし、移送用バッグからＡＥＤを素早く使用できるようにしたＡＥＤ移送用バッグを提供する。【解決手段】ＡＥＤを収納することができる収納室を備えたバッグ本体と、このバッグ本体を持ち運ぶための持ち手を備える。バッグ本体は、収納室におけるバッテリーの充電状態表示部に対応する位置に覗き窓を備え、この覗き窓から充電状態表示部を視認することができる。バッグ本体は、本体部と、本体部の前面に配置された蓋部と、本体部と蓋部とをつなぐ底部と、少なくとも底部からバッグ本体の上部に設けられた開閉用係止具とを備え、収納室はバッグ本体の下半分に設けられ、この下半分に覗き窓が設けられている。【選択図】図１
0003160689.tif 000002
【実用新案登録請求の範囲】
【請求項１】
自動体外式除細動器及びその作動用バッテリーを収納することができる収納室を備えたバッグ本体と、このバッグ本体を持ち運ぶための持ち手を備え、
上記バッグ本体は、上記収納室における上記バッテリーの充電状態表示部に対応する位置に覗き窓を備え、この覗き窓から充電状態表示部を視認することができるようにした自動体外式除細動器の移送用バッグ。
【請求項２】
上記バッグ本体は、本体部と、上記本体部の前面に配置された蓋部と、上記本体部と蓋部とをつなぐ底部と、少なくとも上記底部からバッグ本体の上部に設けられた開閉用係止具とを備え、上記収納室は上記バッグ本体の下半分に設けられ、この下半分に上記覗き窓が設けられたことを特徴とする請求項１記載の自動体外式除細動器の移送用バッグ。
【請求項３】
上記バッグ本体の上記上半分は、上記下半分と略同じ大きさで自動体外式除細動器の上記作動用バッテリーを備えた蓋を収納できる大きさを備え、
上記上半分と上記下半分との間に仕切りを備え、
上記仕切り又は仕切り付近のバッグ本体に上方側ベルトが接続され、上記底部又は底部付近のバッグ本体に下方側ベルトが接続され、上方側ベルトと下方側ベルトとが面ファスナで接続され、この上方側ベルトの接続と下方側ベルトとの接続によって、上記蓋を閉めた自動体外式除細動器を固定でき、
上記上方側ベルトの接続と上記下方側ベルトとの接続を外して、上記自動体外式除細動器の蓋を上記バッグ本体の上方側に開くことによって、上記バッグ本体から自動体外式除細動器を取り出すことなく自動体外式除細動器を使用できるようにしたことを特徴とする請求項２記載の自動体外式除細動器の移送用バッグ。
【考案の詳細な説明】
【技術分野】
【０００１】
本考案は、自動体外式除細動器（以下、ＡＥＤという）を移送するためのバッグに関するものである。
【背景技術】
【０００２】
ＡＥＤは、特許文献１に示されるように、心臓停止に至るおそれのある心室細動を治療する器械で、胸に貼られた電極パッドを通して、心臓の状態を自動診断し、心室細動と判断した場合だけ、電流を流す指示を出し、心室細動を治療するものであり、近年、救急救命装置の一つとして、その普及が図れている。このＡＥＤによる治療は、突発的に生じる心室細動の治療に有効であるが、発作後、短時間（３分以内が望ましい）にその治療を行うことが極めて重要である。そのため、発作を起こしている患者のいる場所まで、ＡＥＤを短時間で運ぶ必要がある。
このＡＥＤの作動には電気を必要とし、ＡＥＤに付属のバッテリー等の電源装置には、常時充電が完全になされている必要がある。そのため、この電源装置には充電状態を表示する表示ランプ等備えられており、完全な充電状態であることを確認して、ＡＥＤを移送する必要が有る。
また、患者のところまで運んだＡＥＤで、一秒でも早く治療を行えるようにすることが極めて重要である。
【先行技術文献】
【特許文献】
【０００３】
【特許文献１】特表２００８−５２５０８９号公報
【考案の概要】
【考案が解決しようとする課題】
【０００４】
本考案は、このＡＥＤの移送のために有用な移送用バッグの提供を目的とする。
特に、バッグの外から充電状態が完全か否かを確認することができるようにした移送用バッグの提供を目的とする。
また、移送用バッグからＡＥＤを素早く使用できるようにした移送用バッグの提供を目的とする。
【課題を解決するための手段】
【０００５】
本願の請求項１記載の考案は、ＡＥＤ及びその作動用バッテリーを収納することができる収納室を備えたバッグ本体と、このバッグ本体を持ち運ぶための持ち手を備え、
上記バッグ本体は、上記収納室における上記バッテリーの充電状態表示部に対応する位置に覗き窓を備え、この覗き窓から充電状態表示部を視認することができるようにしたＡＥＤの移送用バッグを提供する。
本願の請求項２の考案は、上記バッグ本体は、本体部と、上記本体部の前面に配置された蓋部と、上記本体部と蓋部とをつなぐ底部と、少なくとも上記底部からバッグ本体の上部に設けられた開閉用係止具とを備え、上記収納室は上記バッグ本体の下半分に設けられ、この下半分に上記覗き窓が設けられたことを特徴とする請求項１記載のＡＥＤの移送用バッグを提供する。
本願の請求項３の考案は、上記バッグ本体の上半分は、下半分と略同じ大きさでＡＥＤの上記作動用バッテリーを備えた蓋を収納できる大きさを備え、
上記上半分と下半分との間に仕切りを備え、
上記仕切り又は仕切り付近のバッグ本体に上方側ベルトが接続され、上記底部又は底部付近のバッグ本体に下方側ベルトが接続され、上方側ベルトと下方側ベルトとが面ファスナで接続され、この上方側ベルトの接続と下方側ベルトとの接続によって、上記蓋を閉めたＡＥＤを固定でき、
上方側ベルトの接続と下方側ベルトとの接続を外して、上記ＡＥＤの蓋をバッグ本体の上方側に開くことによって、バッグ本体からＡＥＤを取り出すことなくＡＥＤを使用できるようにしたことを特徴とする請求項２記載のＡＥＤの移送用バッグを提供する。
【考案の効果】
【０００６】
本願の請求項１の考案は、覗き窓から充電状態表示部を視認することができるものであり、バッグを開かずとも、バッグの外から充電状態が完全か否かを確認することができるようにし、素早く且つ確実に充電状態が完全なＡＥＤを移送することができる。
本願の請求項２の考案は、少なくとも上記底部からバッグ本体の上部に設けられた開閉用係止具とを備え、上記収納室は上記バッグ本体の下半分に設けられ、この下半分に上記覗き窓が設けられたものであるため、バッグを大きく上から下まで開くことによって、素早くＡＥＤを使用できる状態にすることができる。
本願の請求項３の考案は、上方側ベルトの接続と下方側ベルトとの接続を外して、上記ＡＥＤの蓋をバッグ本体の上方側に開くことによって、バッグ本体からＡＥＤを取り出すことなくＡＥＤを使用できるものであり、ＡＥＤを取り出す手間をかけることなく、素早く使用することができる。しかも、上方側と下方側のベルトを外す動作も上下方向であり、ＡＥＤの蓋を開く動作も上下方向であり、両方の動作が同じ上下への動きとなるため、より素早く使用状態にできるものである。
【図面の簡単な説明】
【０００７】
【図１】本考案の第１の実施の形態に係るＡＥＤの移送用バッグの斜視図である。
【図２】同バッグの要部拡大図である。
【図３】同バッグの蓋部を開いた状態の斜視図である。
【図４】同バッグのバッグ本体の蓋部を開いた状態の斜視図である。
【図５】同バッグにＡＥＤを固定した状態の斜視図である。
【図６】同バッグにおいてＡＥＤの蓋を開いた状態の斜視図である。
【図７】同５及び図６に用いられたＡＥＤの説明図である。
【図８】本考案の第２の実施の形態に係るＡＥＤの移送用バッグの斜視図である。
【図９】同バッグの要部拡大図である。
【図１０】同バッグにＡＥＤを固定した状態の斜視図である。
【図１１】同バッグにおいてＡＥＤの蓋を開いた状態の斜視図である。
【考案を実施するための最良の形態】
【０００８】
以下、本考案について詳細を説明する。本考案の技術的範囲は、下記の実施の形態によって限定されるものではなく、その要旨を変更することなく、様々に改変して実施することができる。
【０００９】
本考案の第１の実施の形態に係るＡＥＤの移送用バッグは、バッグ本体１１と、このバッグ本体１１を持ち運ぶための持ち手１２とを備える。持ち手１２の数や大きさは特に限定はなく、例えば、長い１本の帯状体として肩掛け型のバッグとしてもよく、短い１本又は２本の逆Ｕ字状のものとしてもよいが、この例では、左右対象の２本の帯状体となる背負い用の持ち手として実施し、バッグ全体の型をリュックサック型とした。
【００１０】
バッグ本体１１と持ち手１２の素材は種々変更して実施することが出来るもので、例えば、剛性の高い合成樹脂製や金属製であってもよいが、この例では、柔軟性と耐久性の高い合成繊維又は天然繊維製の織地を用いて縫製したもので実施した。
このバッグ本体１１は、その下部にＡＥＤ１３を収納して固定するための収納室２１を備える。
【００１１】
ここで、図７を参照してＡＥＤ１３について簡単に説明する。このＡＥＤ１３は、ＡＥＤ本体１４と、これを作動させるためのバッテリー１５と、ケーシング１６とを備える。ケーシング１６は、開閉可能なケーシング本体１７とケーシング蓋１８とを備え、ＡＥＤ本体１４はケーシング本体１７に納められ、バッテリー１５はケーシング蓋１８に納められている。このバッテリー１５には、図示はしないが、図７の裏面側に充電状態の表示部分を備え、この表示部分が、ケーシング蓋１８に設けられた充電状態表示部１９を介して、外部から視認できる。そして、バッグ本体１１には、収納室２１における充電状態表示部１９に対応する位置に覗き窓２２が設けられている。この覗き窓２２は、バッグ本体に設けられた透明部又は開口部であり、この例では、透明な合成樹脂製のシート状態を配位している。
【００１２】
バッグ本体１１についてより詳しく説明すると、このバッグ本体１１は、本体部２３と、本体部２３の前面に配置された蓋部２４と、本体部２３と蓋部２４とをつなぐ底部２５とを備える。そして、底部２５から本体部２３の上部に至るまでの範囲に、開閉用係止具２６が設けられている。この例では、開閉用係止具２６として左右一対のスライドファスナが用いられており、本体部２３の前面における右端寄りの上下に１本と、左端寄りの上下に１本とが設けられている。これら左右の開閉用係止具２６の開閉用スライダー同士は連結体３２で結ばれており、使用者は、連結体３２を持って下方に引き降ろすと、左右の開閉用係止具２６の開閉用スライダーが同時に下方に降りて、蓋部２４が全開状態となる。
【００１３】
この例では、収納室２１は連結体３２の下半分２７に設けられ、この下半分２７に覗き窓２２が設けられている。さらに詳しくは、バッグ本体１１の上半分２８は、下半分２７と略同じ大きさで上記ケーシング蓋１８を収納できる大きさを備える。そして、このバッグ本体１１は、下半分２７と上半分２８とを分ける仕切り２９を備える。この仕切り２９又は仕切り２９付近のバッグ本体１１の生地に、上方側ベルト３０の基端が固定されている。また、底部２５又は底部２５付近のバッグ本体１１に下方側ベルト３１の基端が固定されている。この上方側ベルト３０と下方側ベルト３１は、夫々対応する面ファスナ（図示せず）を備え、面ファスナ同士を着脱することによって、上記ケーシング蓋１８を閉めたＡＥＤ１３を固定できる。
【００１４】
緊急時の使用に当たっては、所定の収納位置に置かれたＡＥＤの移送用バッグのバッグ本体１１を、持ち手１２などを掴んで、走る。その際、覗き窓２２を介して、充電状態表示部１９を視認することで、充電されていないバッテリー１５のＡＥＤ１３を持って走ることを防止できる。
【００１５】
看者の近くに到着すると、バッグを降ろして、開閉用係止具２６の連結体３２を引き降ろす。次に、上方側ベルト３０と下方側ベルト３１との面ファスナを上下に引き剥がして、ケーシング蓋１８を、ケーシング本体１７に対して上方へ回動させることで開く。このとき、本体部２３の上半分２８は、ケーシング蓋１８を収納できる大きさであるため、ＡＥＤ１３をバッグ本体１１から取り出さずとも使用可能な状態にすることができるものであり、ＡＥＤ１３をより素早く使用できる。
【００１６】
図８〜図１１は、本考案の第２の実施の形態を示す。この例では、第１の実施の形態とバッグ本体１１の形状が若干変わっただけで実質的な変更はなく、実質的に同一の部分については第１の実施の形態と同じ符号を用いて説明を省略する。この例でも、覗き窓２２は下半分２７に設けられている。本体部２３と蓋部２４とは前後に２分できるもので、開閉用係止具２６のスライドファスナは、両者の中間において、右下部〜上部〜左下部へ連続して設けられている。この例では、１つ又は２つのスライダーが用いられているが、スライダー同士を繋ぐ連結体３２は用いられていない。
【００１７】
以上、本考案は請求項に記載された範囲内で適宜変更することができるものであり、例えば、バッグの右側にＡＥＤ１３を収納し、左側をケーシング蓋１８の収納可能な空間としてもよいが、左右の重量がアンバランスになるため、上記実施の形態のように、上下に配置する方が有利である。覗き窓２２の大きさは自由であり、極端な場合には、ＡＥＤ１３を収納する下半分２７全体を透明な素材で形成することも可能である。
【符号の説明】
【００１８】
１１  バッグ本体
１２  持ち手
１３  ＡＥＤ
１４  ＡＥＤ本体
１５  バッテリー
１６  ケーシング
１７  ケーシング本体
１８  ケーシング蓋
１９  充電状態表示部
２１  収納室
２２  覗き窓
２３  本体部
２４  蓋部
２５  底部
２６  開閉用係止具
２７  下半分
２８  上半分
２９  仕切り
３０  上方側ベルト
３１  下方側ベルト
３２  連結体
【図１】
0003160689.tif 000003
【図２】
0003160689.tif 000004
【図３】
0003160689.tif 000005
【図４】
0003160689.tif 000006
【図５】
0003160689.tif 000007
【図６】
0003160689.tif 000008
【図７】
0003160689.tif 000009
【図８】
0003160689.tif 000010
【図９】
0003160689.tif 000011
【図１０】
0003160689.tif 000012
【図１１】
0003160689.tif 000013